(57)【要約】【課題】            雄部材と雌部材の嵌着ロック時に衝撃が作業者の手に伝わり、繰り返しての作業では痛みも生じてしまうという点であり、さらに、雄部材と雌部材の嵌合ロック機構では、雄部材の抜け止めは図られているが、雄部材の雌部材内での回動は抑えられず、この回動が生じると、フィラメントに捩れが生じ、商品への装着状態で見栄えが非常に悪くなってしまうという点である。【解決手段】        フィラメントとしてエラストマーを用い、そのフィラメントの一端に挿し込み用の雄部材を固着し、他端にその雄部材を受け入れて嵌着ロックし、フィラメントをリング状に形成することのできる雌部材を固着したアタッチ部材において、少なくとも前記した雄部材の長手方向に沿った中心孔に前記フィラメントの端部が貫通して設けられ、雄部材の先端では中心孔からフィラメントが外部へ露呈していることとし、前記した露呈は、突出していることとする。【選択図】          図１
2020091382.tif 000002
【特許請求の範囲】
【請求項１】
フィラメントとしてエラストマーを用い、そのフィラメントの一端に挿し込み用の雄部材を固着し、他端にその雄部材を受け入れて嵌着ロックし、フィラメントをリング状に形成することのできる雌部材を固着したアタッチ部材において、少なくとも前記した雄部材の長手方向に沿った中心孔に前記フィラメントの端部が貫通して設けられ、雄部材の先端では中心孔からフィラメントが外部へ露呈していることを特徴とするアタッチ部材。
【請求項２】
前記した露呈は、突出していることを特徴とする請求項１に記載のアタッチ部材。
【請求項３】
前記した嵌着ロックはリリース可能となっていることを特徴とする請求項１または２に記載のアタッチ部材。
【請求項４】
少なくとも前記した雄部材の外側面の一部にはフィラメントの材料であるエラストマーが付着していることを特徴とする請求項１から３のうち１項に記載のアタッチ部材。
【請求項５】
前記したエラストマーの付着は雄部材を成形するためのゲート位置と反対の面になされていることを特徴とする請求項４に記載のアタッチ部材。
【請求項６】
請求項１に記載したアタッチ部材を製造するための方法であって、雄部材と雌部材を成形するためのキャビティを形成してある分離式の金型に、前記キャビティ間にフィラメント用のエラストマーを渡しセットし、その後金型を合せ、前記各々のキャビティにゲートを通して熱可塑性樹脂を圧注入してエラストマーをくるみ覆うように雄部材及び雌部材を成形し、エラストマーをカットすることを特徴とするアタッチ部材の製造方法。
【請求項７】
前記したエラストマーは端部に芯玉が形成されており、前記したカットはこの芯玉と雄部材の先端との間でなされ、雄部材成形時に同期して次成形用の芯玉がエラストマーに形成され、芯玉は連続的に成形されるアタッチ部材の次成形時の雌部材用のキャビティ内に送り込まれセットされることを特徴とする請求項６に記載のアタッチ部材の製造方法。
【請求項８】
前記した熱可塑性樹脂を圧注入して雌部材がエラストマーを覆うのは少なくともエラストマーの直径の２倍以上の長さをもってなされることを特徴とする請求項６または７に記載のアタッチ部材の製造方法。
【請求項９】
少なくとも雄部材の成形のための熱可塑性樹脂の圧注入の圧力により、セットされているエラストマーを圧注入ゲートと反対側のキャビティ内壁面に変型させて押し付け、その押し付けられたエラストマーを雄部材の外側壁面に転移させ付着させることを特徴とする請求項６から８のうち１項に記載のアタッチ部材の製造方法。
【発明の詳細な説明】
【技術分野】
【０００１】
本発明は、アタッチ部材、特に商品に価格や材質等を表示したタグを取り付け吊持するためのファスナーやあるいは締着や結束にも利用できるアタッチ部材及びその製造方法に関する。
【背景技術】
【０００２】
従来、上記したアタッチ部材は線状をした長尺のフィラメントの一端に挿し込み用の雄部材、他端にその雄部材が挿入嵌着されてロック状態とされ、フィラメントをリング状に形成するものとして知られている。そして、一般的にフィラメントは切断を回避するため延伸加工して強靭なものとしたプラスチックや商品との外観上の兼ね合いを加味した糸等が用いられることが多い。
【０００３】
しかしながら、プラスチックや糸等をフィラメントとして使用した場合、商品のサイズ等に合せて幾種類ものサイズのものを用意する必要性があるので、これを回避するため、フィラメントに伸縮性のあるエラストマーを使用することが開発された（特許文献１）。
【０００４】
しかし、このアタッチ部材にあっても雄部材、雌部材はどうしても硬質のプラスチックで成形されることとなり、繰り返しての作業では嵌合時の衝撃が手に伝わり、痛みを生じてしまうこともあった。
【先行技術文献】
【特許文献】
【０００５】
【特許文献１】特許第５３４５３６５号公報
【特許文献２】特許第３５４７３２４号公報
【発明の概要】
【発明が解決しようとする課題】
【０００６】
本願発明が解決しようとする問題点は、雄部材と雌部材の嵌着ロック時に衝撃が作業者の手に伝わり、繰り返しての作業では痛みも生じてしまうという点であり、さらに、雄部材と雌部材の嵌合ロック機構では、雄部材の抜け止めは図られているが、雄部材の雌部材内での回動は抑えられず、この回動が生じると、フィラメントに捩れが生じ、商品への装着状態で見栄えが非常に悪くなってしまうという点である。
【課題を解決するための手段】
【０００７】
上記した問題点を解決するために、本発明に係るアタッチ部材は、フィラメントとしてエラストマーを用い、そのフィラメントの一端に挿し込み用の雄部材を固着し、他端にその雄部材を受け入れて嵌着ロックし、フィラメントをリング状に形成することのできる雌部材を固着したアタッチ部材において、少なくとも前記した雄部材の長手方向に沿った中心孔に前記フィラメントの端部が貫通して設けられ、雄部材の先端では中心孔からフィラメントが外部へ露呈していることを特徴としている。
【０００８】
また、本発明に係るアタッチ部材は、前記した露呈は、突出していることを特徴とし、前記した嵌着ロックはリリース可能となっていることを特徴とし、少なくとも前記した雄部材の外側面の一部にはフィラメントの材料であるエラストマーが付着していることを特徴とし、前記したエラストマーの付着は雄部材を成形するためのゲート位置と反対の面になされていることを特徴としている。
【０００９】
さらに、本発明に係るアタッチ部材の製造方法は、請求項１に記載したアタッチ部材を製造するための方法であって、雄部材と雌部材を成形するためのキャビティを形成してある分離式の金型に、前記キャビティ間にフィラメント用のエラストマーを渡しセットし、その後金型を合せ、前記各々のキャビティにゲートを通して熱可塑性樹脂を圧注入してエラストマーをくるみ覆うように雄部材及び雌部材を成形し、エラストマーをカットすることを特徴としている。
【００１０】
そして、本発明に係るアタッチ部材の製造方法は、前記したエラストマーは端部に芯玉が形成されており、前記したカットはこの芯玉と雄部材の先端との間でなされ、雄部材成形時に同期して次成形用の芯玉がエラストマーに形成され、芯玉は連続的に成形されるアタッチ部材の次成形時の雌部材用のキャビティ内に送り込まれセットされることを特徴とし、前記した熱可塑性樹脂を圧注入して雌部材がエラストマーを覆うのは少なくともエラストマーの直径の２倍以上の長さをもってなされることを特徴としている。
【００１１】
また、本発明に係るアタッチ部材の製造方法は、少なくとも雄部材の成形のための熱可塑性樹脂の圧注入の圧力により、セットされているエラストマーを圧注入ゲートと反対側のキャビティ内壁面に変型させて押し付け、その押し付けられたエラストマーを雄部材の外側壁面に転移させ付着させることを特徴としている。
【発明の効果】
【００１２】
本発明に係るアタッチ部材及びその製造方法は上記したように構成されている。雄部材に先端からフィラメントを形成するエラストマーが外部へ露呈されているため、この雄部材を雌部材に挿入嵌着してロック状態とする際に、この露呈しているエラストマーが緩衝材となり、装着時の衝撃をやわらげることができ、作業者の手を痛めてしまう虞がなくなる。
【００１３】
また、雄部材の外側面にエラストマーの一部が付着された構成となっているので、雄部材を雌部材に装着しロックした状態で、雄部材が雌部材内での回動してしまうことを、この付着されたエラストマーが制御し、フィラメントとしてのエラストマーが捩れてしまうことを未然に防止することができる。
【図面の簡単な説明】
【００１４】
【図１】本発明を実施したアタッチ部材の正面図である。
【図２】同じく雄部材の拡大図である。
【図３】同じく雄部材を断面とした図である。
【図４】同じく雌部材を断面とした拡大図である。
【図５】同じくフィラメントを延伸した状態を示す図である。
【図６】同じく変形例を示す図である。
【図７】同じく雌部材に雄部材を挿入する直前の図である。
【図８】同じく図７を９０度回転した図である。
【図９】同じく雌部材に雄部材を挿入嵌着してロック状態とした図である。
【図１０】同じく図９を９０度回転した図である。
【図１１】同じく雌部材を挿入嵌着した際の緩衝状態を示す図である。
【図１２】同じく図１１を９０度回転した図である。
【図１３】同じく一部を破断して示すリング状とした図である。
【図１４】同じく使用状態の一例を示す図である。
【図１５】同じく雄部材を背面側から見た図である。
【図１６】同じく側面図である。
【図１７】同じくリングとした状態を示す正面図である。
【図１８】リリース可能とした場合のリング状とした図である。
【図１９】同じく正面図である。
【図２０】リリースした状態を示す図ある。
【図２１】リリース可能としたアタッチ部材の正面図である。
【図２２】雄部材を断面とした他の実施例を示す図である。
【図２３】製造方法の概要を示す図である。
【発明を実施するための形態】
【００１５】
図面として示し、実施例で説明したように構成することで実現した。
【実施例１】
【００１６】
次に、本発明の好ましい実施例を図面を参照して説明する。図中１は本発明を実施したアタッチ部材を示しており、２はこのアタッチ部材１に用いられているフィラメントを示している。このフィラメント２はエラストマーで成形されており、所定の長さを有する線状体となっているもので、エラストマーとしてはポリスチレン系、ポリオレフィン系、ポリウレタン系の熱可塑性樹脂が用いられ、必要や目的に応じ天然ゴムまたはそれにポリエステル糸でシャーリング加工したゴム紐が使用されることもある。
【００１７】
前記したフィラメント２の一端には雄部材（挿し込み部）３が、その長手方向に形成されている中心孔４にフィラメント２を貫通させて一体的に備えられている。この雄部材３の先端３ａは後述する雌部材（受部）の挿通孔への挿入ガイドとしてテーパ状とされ、その先端３ａの基部は雌部材の係合部と係止して抜け止めロック状態とする段部３ｂが形成されているもので、前記したフィラメント２の先端は貫通孔４から外部へ突出し、先端３ａの外部に突出部２ａとして露出している。
【００１８】
また、雄部材３の外側面には成形時の樹脂注入用としてのゲート５の跡が残されている。フィラメント２の他端には、前記した雄部材３を受け、抜け止めロックするための雌部材６が備えられ、その雌部材６の長手方向に沿った中心に形成された有底穴７にフィラメント２の他端部が密に収められ一体化されている。
【００１９】
雌部材６は、その先端に雄部材３の先端３ａが挿入される開口６ａが形成され、この開口６ａの奥部分には、雄部材３の段部３ｂと係合する係合部６ｂが設けられている。
【００２０】
前記した雄部材３と雌部材６はポリプロピレン、ポリアミド、ポリエチレン、ポリスチレン、ポリスチレンテレフタレート等の熱可塑性樹脂で成形されている。また、雌部材６とフィラメント２との一体化は延伸状態で図５として示すように、フィラメント２の直径Ａの２倍以上の長さＢを有底穴７に収めることでより強い止着性を有することとなる。この図５として示す形態は有底穴７に収める部分である端部の径を予め太径としておくことも可能である。
【００２１】
また、図６として示すように、フィラメント２の先端を雌部材６の開口６ａの奥底部分まで突出させる構成とすることもできる。
【００２２】
前述したように雄部材３は、その先端３ａから雌部材６の開口６ａに挿し込まれ（圧入され）、その段部３ｂが係合部６ｂと係合することでロック状態となり、フィラメント２は無端のリング状となる。尚、前記した係合は、係合部６ｂの保有する弾発性によってなされる。この際に、雄部材３の先端３ａは開口６ａの奥底まで押し込まれるが、その開口６ａの奥底と雄部材３の先端３ａとの衝突の衝撃は、フィラメント２の先端の突出部２ａによって緩衝されることとなる（図７、図９、図１１参照）。
【００２３】
また、雌部材６の開口６ａの構成は、少なくとも一対の対向する壁面６ｃ、６ｃを形成し、その対向する壁面６ｃ、６ｃの先端部分に形成することもでき、こうすると係合部６ｂのバネ性をより強く得ることができる。
【００２４】
これら、雄部材３と雌部材６との結合状態は図９〜図１２として示している。図１１、図１２には、フィラメント２の突出部２ａの先端が開口６ａの奥底に当接押圧され、その奥底の面に沿って緩衝変形した状態が示されている。
【００２５】
雄部材３を雌部材６に挿入嵌合結合することで、フィラメント２は無端リング状に形成される（図１３参照）。この際、図１４に示すように、タグＴの透孔Ｈに、まず雄部材３全体を挿し通し、その後に雄部材３を雌部材６に挿入嵌合して結合すると、タグＴを吊持することのできる状態となる。
【００２６】
さらに、雄部材３のゲート５と反対側の側面には、フィラメント２を成形しているエラストマーと同一素材によるエラストマーの付着部８が形成されている。このエラストマーの付着部８の存在によって、雄部材３が雌部材６と嵌合したロック状態にあって、雄部材３が雌部材６内で回動（回転）してしまうことを摩擦によって防ぐことができ、この回動によって生じるフィラメント２の捩れを未然に防止することができる。この付着部８の形成は後述する製造方法において説明する。
【００２７】
また、雌部材は図１８乃至図２１に示すように、ロック状態をリリース可能な形状とすることもできる。ここに示す雌部材９は両外側面に指で摘み支持し易いように凹陥部９ｄ、９ｄが形成されており、先端開口９ｃから上面にかけて連通する開放部９ｂが形成されている。係合部９ａは、この開放部９ｂと連ねて形成され、この係合部９ａ、９ａから先端開口までは、雄部材３の段部３ａから基端に至って形成される括れ部分を挟持する構成となっている。
【００２８】
この構成で雄部材３は、開放部９ｂの奥方の上方から先端３ａを嵌め、雌部材９の先端方向へ傾倒させることで嵌着がなされる。この嵌着ロック状態から、逆に雄部材３を、基端を持ち上げ倒立させることでロック状態は解除され、リリースすることが可能となっている。
【００２９】
さらに、雄部材３の先端の構成は図２２として示すようにすることも可能である。この場合、フィラメント２の先端は先端３ａの頂面と面一としてカットされており、フィラメント２の断面が先端３ａの頂面に露呈した構成となっている。この構成は後述する製造方法にあってフィラメント２の切断時に雄部材３の先端３ａの頂部を同時にカットすることによってなされる。
【００３０】
次いで、本発明に係るアタッチ部材１の製造方法について図２３を参照して説明する。図２３のＡは空状態の金型を示し、Ｂは前成形が終了した状態、Ｃは芯玉を雌部材用キャビティにセットした状態、Ｄは各キャビティに樹脂を充填している状態、Ｅはエラストマー線材をカット（剪断）した状態を示している。尚、図にあって、雌部材６と芯玉１４は別のハッチングを施してあるが、これらは同一樹脂で成形されるので、一体化され、実質的に一部材となる。この製造方法には雄部材３及び雌部材６を成形するためのキャビティ１１、１２が形成されている合せ金型１０が用いられ、その各々のキャビティ１１、１２の間には予め用意されたフィラメント２用のエラストマー線材が渡架される溝１３が形成されている。
【００３１】
また、雄部材３用のキャビティ１１の雄部材３の先端側には、フィラメント２用のエラストマー線材の端部に設けられる芯玉１４のキャビティ１５が別駒としてキャビティ１１と連通して形成されている。フィラメント２用のエラストマー線材は前記した溝１３にセットされる。当初は、エラストマー線材の端部には芯玉１４の存在はないため、その端部を縛って雌部材６の有底穴７の内径よりもサイズ的に大きな部分を形成しておき、その部分をキャビティ１２内に嵌め、エラストマー線材の抜けを防止する。芯玉１４はエラストマー線材の周域に二つの瘤状部が連続して構成される形態となっている。図（Ｂ）から（Ｅ）の状態まで、エラストマー線材は次成形のため、型１０外へ延長されている。
【００３２】
このセット状態から、ゲートを通して各キャビティ１１、１２内に熱可塑性樹脂が圧注入される。この際に、雄部材３用のキャビティ内では、熱可塑性樹脂の注入圧力が予めセットされているエラストマー線材にかかり、このエラストマー線材を変形させ、ゲート側と対向するキャビティ内面に押し付け、一部付着させる。
【００３３】
その後の熱可塑性樹脂の圧注入により、その熱可塑性樹脂はエラストマー線材をくるむように覆い、雄部材３が成形される。この時に同期して熱可塑性樹脂はキャビティ１５にも入り、エラストマー線材の周囲に芯玉１４を形成する。また、雌部材６については、熱可塑性樹脂がキャビティ内でエラストマー線材を圧迫することはない。これは雌部材６の頭部（先端）側部分にゲートが形成される。そして、型から製品を取り出す際に、キャビティの内壁面に形成されたエラストマー材の付着部分が雄部材３のゲート５と反対側の外側面に転写（転移して付着）され、付着部８が形成されることとなる。この付着部８は、雄部材３の外接円形よりも外側、即ち、最大径の外面に形成すると、より滑り止め効果は大きくなる。
【００３４】
成形された製品は、金型１０内で、その金型１０もしくは別駒のスライドによって雄部材３の先端寄りでエラストマー線材がカット（剪断）される。このカットによって、雄部材３の先端３ａからはフィラメント２の突出部２ａが形成されることとなる。このカットの際に、雄部材３の先端３ａの頂面を同時にカットすると、図２２に示すような構成のアタッチ部材１となる。尚、この剪断カットにあってエラストマー線材の弾性に対応するためには、エラストマー線材の表面を薄膜で覆っておくこともできる。この図２３の（Ｅ）の作業後は（Ｂ）の状態に復元される。
【産業上の利用可能性】
【００３５】
本発明に係るアタッチ部材及びその製造方法は上記したように構成されている。雄部材３や雌部材６を形成するポリプロピレン等の熱可塑性樹脂とフィラメント２を形成するエラストマーは付着性が良好でフィラメント２は雄部材３や雌部材６の中心孔から抜けてしまうことはない。実施例では表示タグを取り付ける例を図１４として示しているが、エラストマーの有する伸縮性を活用して結束用の用途としても使用でき、あるいは締着用としても利用範囲は広範なものとなる。また、製造方法における剪断はカッターによるカットとすることも可能であり、芯玉１４の構成も雌部材６からの抜け止め、あるいは雌部材６との掛合のためであるので、瘤状部を連続させたものに限らず、有底穴７の内径よりも大径であれば形状は特定されない。
【符号の説明】
【００３６】
１    アタッチ部材
２    フィラメント
２ａ  突出部
３    雄部材
３ａ  先端
３ｂ  段部
４    中心孔
５    ゲート
６    雌部材
６ａ  開口
６ｂ  係合部
６ｃ  壁面
７    有底穴
８    付着部
９    雌部材
９ａ  係合部
９ｂ  開放部
９ｃ  先端開口
９ｄ  凹陥部
１０  金型
１１  雄部材用キャビティ
１２  雌部材用キャビティ
１３  溝
１４  芯玉
１５  芯玉用キャビティ
Ｔ    タグ
Ｈ    透孔
【図１】
2020091382.tif 000003
【図２】
2020091382.tif 000004
【図３】
2020091382.tif 000005
【図４】
2020091382.tif 000006
【図５】
2020091382.tif 000007
【図６】
2020091382.tif 000008
【図７】
2020091382.tif 000009
【図８】
2020091382.tif 000010
【図９】
2020091382.tif 000011
【図１０】
2020091382.tif 000012
【図１１】
2020091382.tif 000013
【図１２】
2020091382.tif 000014
【図１３】
2020091382.tif 000015
【図１４】
2020091382.tif 000016
【図１５】
2020091382.tif 000017
【図１６】
2020091382.tif 000018
【図１７】
2020091382.tif 000019
【図１８】
2020091382.tif 000020
【図１９】
2020091382.tif 000021
【図２０】
2020091382.tif 000022
【図２１】
2020091382.tif 000023
【図２２】
2020091382.tif 000024
【図２３】
2020091382.tif 000025